(57)【特許請求の範囲】
【請求項１】
表示画像を表す表示光を出射する表示部と、
前記表示部が出射した表示光が到達し、到達した表示光を反射させる反射部と、
前記反射部で反射した表示光が到達する凹面を有し、到達した表示光を集光することで視認者に前記凹面側から前記表示画像を視認させるコンバイナと、
前記表示部と前記反射部とを内部に収納するとともに前記コンバイナを保持するケース体と、を備え、
前記コンバイナは、曲面形状の前記凹面と前記ケース体に保持するための取付用穴とを有する板状の基材と、前記穴が形成される側の前記基材の一端部を残して前記基材の表面を覆うハードコート膜と、を有し、前記基材の一端部で前記ケース体に保持され、
前記ケース体は、
前記基材の一端部側における前記ハードコート膜が形成される境界、及び前記取付用穴を前記凹面側から覆う覆い部を有するとともに、内面側から前記取付用穴を通してネジ止めされる通し穴を有する
ことを特徴とするヘッドアップディスプレイ装置。
【請求項２】
前記覆い部は、前記ケース体と一体である、
ことを特徴とする請求項１に記載のヘッドアップディスプレイ装置。
【請求項３】
前記ケース体が有する覆い部は、前記ケース体に形成された溝部の一部で構成されている、
ことを特徴とする請求項１又は２に記載のヘッドアップディスプレイ装置。
【請求項４】
前記ケース体は、その内部に前記反射部を支持する支持部を有し、
前記反射部は、前記表示部が出射した表示光を反射させる反射面を含むミラーと、前記ミラーの一端部を残して前記ミラーの表面を覆うハードコート膜と、を有し、前記ミラーの一端部で前記支持部に支持され、
前記支持部は、前記ミラーの一端部を前記表示部側から覆う覆い部を有する、
ことを特徴とする請求項１乃至３のいずれか１項に記載のヘッドアップディスプレイ装置。
【請求項５】
前記支持部が有する覆い部は、前記支持部に形成された溝部の一部で構成されている、
ことを特徴とする請求項４に記載のヘッドアップディスプレイ装置。
【請求項６】
据え置き型であることを特徴とする請求項１乃至５のいずれか１項に記載のヘッドアップディスプレイ装置。
【発明の詳細な説明】
【技術分野】
【０００１】
本発明は、ヘッドアップディスプレイ装置に関する。
【背景技術】
【０００２】
ヘッドアップディスプレイ（Head-Up Display；ＨＵＤ）装置として、例えば、特許文献１に開示されたものが知られている。この種のＨＵＤ装置は、表示部と、ミラーと、コンバイナと、を備え、表示部が出射する所定の情報を報知するための表示画像を表す光をミラーによりコンバイナに向け反射させ、コンバイナにより前記表示画像を虚像としてユーザに視認させるものである。このようなＨＵＤ装置は、例えば、車両のダッシュボード上に設けられており、主に運転者であるユーザに、前方風景に重ねるようにして車速、走行距離等の表示情報を報知する。
【先行技術文献】
【特許文献】
【０００３】
【特許文献１】特開平１１−２８９４９号公報
【発明の概要】
【発明が解決しようとする課題】
【０００４】
ところで、コンバイナを構成するハーフミラー等の板状の基材にユーザが触れる等すると、基材表面に傷がつき、表示画像の視認性が低下するおそれがあるため、特許文献１に開示されるように、基材表面にハードコート膜を形成することが一般的である。
【０００５】
ハードコート膜を形成する方法として、スプレーによる塗布方法とディッピング処理による塗布方法とが知られているが、良好な面粗度が得られること、表面硬度が高めやすいこと、塗膜のコストが安価であること、等の理由から基材にハードコート膜を形成する方法としてはディッピングが適している。
【０００６】
ディッピングでは、基材を液状のハードコート剤に浸漬することでハードコート膜を形成する。基材の全てをハードコート剤に浸漬すると、基材の端部に液残りによる跡が残ることがあるため、これを回避するためには、図６（ａ）に示すように、基材５１の一端を残してハードコート剤５２０に浸漬する方法が考えられる。この場合、ユーザから視認されにくい基材５１の一端部（取付用の穴５１０が形成されている側の部分）を残して、基材５１をハードコート剤５２０に浸漬すればよい。
しかし、この方法では、液残りの問題を回避できる代わりに、図６（ｂ）に示すように、コンバイナ５０に視認可能なハードコート有無の境界ライン５３が生じてしまう。このようなハードコート膜５２を有するコンバイナ５０を、図７に示すように、何の対策も講じずにＨＵＤ装置９０１のケース体９１０に取り付けてしまうと、境界ライン５３が視認者２に視認されてしまうため、見栄えが悪い。
【０００７】
本発明は、上記実情に鑑みてなされたものであり、コンバイナにおけるハードコートの境界ラインを隠した見栄えのよいヘッドアップディスプレイ装置を提供することを目的とする。
【課題を解決するための手段】
【０００８】
上記目的を達成するため、本発明に係るヘッドアップディスプレイ装置は、
表示画像を表す表示光を出射する表示部と、
前記表示部が出射した表示光が到達し、到達した表示光を反射させる反射部と、
前記反射部で反射した表示光が到達する凹面を有し、到達した表示光を集光することで視認者に前記凹面側から前記表示画像を視認させるコンバイナと、
前記表示部と前記反射部とを内部に収納するとともに前記コンバイナを保持するケース体と、を備え、
前記コンバイナは、曲面形状の前記凹面と前記ケース体に保持するための取付用穴とを有する板状の基材と、前記穴が形成される側の前記基材の一端部を残して前記基材の表面を覆うハードコート膜と、を有し、前記基材の一端部で前記ケース体に保持され、
前記ケース体は、
前記基材の一端部側における前記ハードコート膜が形成される境界、及び前記取付用穴を前記凹面側から覆う覆い部を有するとともに、内面側から前記取付用穴を通してネジ止めされる通し穴を有する
ことを特徴とするヘッドアップディスプレイ装置。
【０００９】
また、上記ヘッドアップディスプレイ装置において、
前記覆い部は、前記ケース体と一体であってもよい。
【００１０】
また、上記ヘッドアップディスプレイ装置において、
前記ケース体が有する覆い部は、前記ケース体に形成された溝部の一部で構成されていてもよい。
【００１１】
また、上記ヘッドアップディスプレイ装置において、
前記ケース体は、その内部に前記反射部を支持する支持部を有し、
前記反射部は、前記表示部が出射した表示光を反射させる反射面を含むミラーと、前記ミラーの一端部を残して前記ミラーの表面を覆うハードコート膜と、を有し、前記ミラーの一端部で前記支持部に支持され、
前記支持部は、前記ミラーの一端部を前記表示部側から覆う覆い部を有する、ようにしてもよい。
【００１２】
また、上記ヘッドアップディスプレイ装置において、
前記支持部が有する覆い部は、前記支持部に形成された溝部の一部で構成されている、ようにしてもよい。
【００１３】
また、上記ヘッドアップディスプレイ装置は、据え置き型であってもよい。
【発明の効果】
【００１４】
本発明によれば、コンバイナにおけるハードコートの境界ラインを隠した見栄えのよいヘッドアップディスプレイ装置を提供することができる。
【図面の簡単な説明】
【００１５】
【図１】本発明の第１実施形態に係るＨＵＤ装置の概略断面図である。
【図２】図１に示すコンバイナの概略断面図である。
【図３】（ａ）は、図１に示すコンバイナ保持部付近の拡大図である。（ｂ）は、第１実施形態の変形例１に係るコンバイナ保持部を説明するための図である。
【図４】（ａ）第１実施形態の変形例２に係るコンバイナ保持部を説明するための図である。（ｂ）第１実施形態の変形例３に係るコンバイナ保持部を説明するための図である。
【図５】（ａ）は、本発明の第２実施形態に係るＨＵＤ装置の中ケースを説明するための、反射部と中ケースの概略断面図である。（ｂ）は、第２実施形態の変形例１に係る中ケースを説明するための図である。（ｃ）は、第２実施形態の変形例２に係る中ケースを説明するための図である。
【図６】（ａ）は、ディッピングを説明するための図である。（ｂ）は、ディッピングによりハードコート膜が形成されたコンバイナの平面図である。
【図７】発明が解決しようとする課題を説明するためのＨＵＤ装置の概略側面図である。
【発明を実施するための形態】
【００１６】
本発明の一実施形態に係るＨＵＤ装置を、図面を参照して説明する。
【００１７】
（第１実施形態）
第１実施形態に係るＨＵＤ装置１は、図１に示すように、ケース体１０と、表示部２０と、回路基板３０と、反射部４０と、コンバイナ５０と、を備える。
ＨＵＤ装置１は、据え置き型のＨＵＤ装置であり、例えば、車両のダッシュボード上（例えば、インストルメントパネル上方）に取り付けられるものである。以下、ＨＵＤ装置１の構成の理解を容易にするため、便宜的に、図１の両端矢印に示すようにして、上、下、左、右の各方向を設定し、ＨＵＤ装置１の各部について説明する。
【００１８】
ケース体１０は、上ケース１１と、下ケース１２と、中ケース１３と、から構成される。
上ケース１１には開口部１１０が形成されており、この上ケース１１と下ケース１２とが連結することで上側開口の箱のような形状となる。この箱形状の内部に、表示部２０、回路基板３０、及び中ケース１３が収納される。
【００１９】
上ケース１１は、コンバイナ５０を保持するコンバイナ保持部１１１を有し、これによりコンバイナ５０は、上ケース１１の上壁部１１２から上方に延出するように保持される。このコンバイナ保持部１１１については、後に詳述する。
中ケース１３は、上側開口の箱形状に形成されており、その左側面１３１には、表示部２０の表示面を露出させる穴である第１出射口１３１ａが形成されている。なお、図示しないが中ケース１３に、第１出射口１３１ａを覆う透明な窓部材（図示せず）を設けてもよい。中ケース１３は、左側面１３１と対向する右側面１３２及び底部１３３の右端部である支持部１３４で反射部４０を支持する。また、上側開口の箱形状に形成されている中ケース１３は、その上端で囲まれる開口部１３０を有する。中ケース１３は、その開口部１３０が上ケース１１の開口部１１０の形状とほぼ同一形状となるようにして形成されている。このような開口部１１０と開口部１３０とは、ＨＵＤ装置１の組み付け後は、上下方向で重なり、後述のように反射部４０が反射した表示光Ｌを通過させる第２出射口１４として機能する。
【００２０】
表示部２０は、車速、走行距離等の表示情報を報知するための表示画像を表す表示光Ｌを出射するものであり、例えば、液晶パネルとバックライト用光源から構成される透過型液晶ディスプレイ、又は自発光型ディスプレイから構成される。表示部２０は、中ケース１３の左側面１３１の左側に位置し、第１出射口１３１ａを介してその表示面が露出するように配置されている。
【００２１】
回路基板３０は、板状の基材３１に、マイコン、グラフィックディスプレイコントローラー（ＧＤＣ）等から構成される制御部（図示せず）を実装した回路基板であり、下ケース１２に固定されている。固定された回路基板３０は、下ケース１２と中ケース１３の間に位置する。制御部は、車両ＥＣＵ（Electronic Control Unit）等の外部装置から通信ラインにより伝送される車両の状態情報を取得し、これに応じて表示部２０を駆動する（つまり、表示部２０に所定の表示画像を表示させる）。
【００２２】
反射部４０は、表示部２０の表示側、即ち表示光Ｌの出射側に位置し、到達した表示光Ｌをコンバイナ５０に向けて反射させるものであり、例えば、一枚のミラーから構成される。反射部４０は、その反射面が表示部２０の表示面と略対向するように配置されており、中ケース１３の右側面１３２に、例えば、両面テープ（図示せず）で固定されている。
表示部２０が出射した表示光Ｌは、第１出射口１３１ａを通過して反射部４０に到達する。そして、反射部４０で反射した表示光Ｌは、第２出射口１４を通過してコンバイナ５０に向かう。
【００２３】
コンバイナ５０は、図２に示すように、曲面を有する板状のハーフミラー、ホログラム素子等により構成される基材５１と、紫外線硬化型のアクリル系樹脂等からなるハードコート膜５２と、を備える。
【００２４】
基材５１には、コンバイナ５０を上ケース１１に取り付けるためのネジＳに対応する穴（取付用穴）５１０が複数（例えば、図５に示すように２つ）設けられている。前述したが、図６（ａ）に示すように、穴５１０が形成されている側の端部を残して、基材５１を液化させた紫外線硬化型のアクリル系樹脂等からなるハードコート剤５２０に浸漬し、引き出し、乾燥させることで（つまり、ディッピングによって）、基材５１の前記端部以外の表面には、図２に示すように、ハードコート膜５２が形成される。このように形成されたハードコート膜５２を有するコンバイナ５０には、視認可能なハードコート有無の境界ライン５３が生じる（図１、図２では、点線で示した）。
【００２５】
コンバイナ５０は、上ケース１１のコンバイナ保持部１１１に保持されることで、その凹面５０ａ（右側の面）が反射部４０の反射面と略対向するように配置されている。コンバイナ５０が、コンバイナ保持部１１１にどのように保持されるかについては、後に詳述する。コンバイナ５０は、図１に示すように、反射部４０で反射し、到達する表示光Ｌの光路を変更する（基材５１として、ハーフミラーを用いる場合は反射により表示光Ｌの光路を変更し、ホログラム素子を用いる場合は回折により表示光Ｌの光路を変更する）。コンバイナ５０の凹面５０ａは、表示光Ｌを集光する機能を有し、光を単純反射させる場合よりも、虚像を前遠方（例えば、コンバイナ５０より１．５ｍ前方）に形成することのできる曲面として構成されている。コンバイナ５０は、その前方位置Ｆに表示画像の虚像を形成するとともに、前方（コンバイナ５０の左側）からの光を透過し、これにより、ＨＵＤ装置１は、虚像と前方に実際に存在する外景等の双方を、視認者２に視認させることができる。
【００２６】
（コンバイナ保持部について）
ここからは、コンバイナ保持部１１１について、図３（ａ）を参照して詳細に説明する。
コンバイナ保持部１１１は、溝部１１１ａと、第１覆い部１１１ｂと、第２覆い部１１１ｃと、から構成される。
【００２７】
溝部１１１ａは、コンバイナ５０がコンバイナ保持部１１１に保持された場合に、コンバイナ５０の穴５１０が形成されている側の端部を挟むようにして形成された溝部である。
【００２８】
第１覆い部１１１ｂは、溝部１１１ａよりも視認者２側であって、上ケース１１のコンバイナ５０が取り付けられる側（第２出射口１４よりも左側）の上壁部１１２から上方に突出するように形成された凸部である。この第１覆い部１１１ｂは、コンバイナ５０を溝部１１１ａに差し込んだときのコンバイナ５０の境界ライン５３よりも、その上端が高くなるように形成されている。つまり、第１覆い部１１１ｂは、コンバイナ５０のハードコート膜５２が形成されていない端部を凹面５０ａ側から覆う。また、第１覆い部１１１ｂは、ケース体１０を構成する上ケース１１に形成された溝部１１１ａの一部（溝部１１１ａのうちコンバイナ５０の凹面５０ａと対向する部分）として構成されている。これにより、境界ライン５３を、視認者２に視認させないように、覆い隠すことができる。
【００２９】
第２覆い部１１１ｃは、溝部１１１ａよりも前方側（視認者２から離れる側）であって、上ケース１１のコンバイナ５０が取り付けられる側（第２出射口１４よりも左側）の上壁部１１２から上方に突出するように形成された部材である。この第２覆い部１１１ｃは、コンバイナ５０を溝部１１１ａに差し込んだときのコンバイナ５０の境界ライン５３よりも、その上端が高くなるように形成されている。つまり、第２覆い部１１１ｃは、コンバイナ５０のハードコート膜５２が形成されていない端部を凹面５０ａとは反対の面側から覆う。また、第２覆い部１１１ｃは、ケース体１０を構成する上ケース１１に形成された溝部１１１ａの一部（溝部１１１ａのうちコンバイナ５０の凹面５０ａとは反対の面と対向する部分）として構成されている。これにより、境界ライン５３を覆い隠すことができる。なお、第２覆い部１１１ｃは、ＨＵＤ装置１がダッシュボード上に設置された場合に、視認者２からは見えない側の境界ライン５３を覆い隠すものであるため、必ずしも必要ではない。しかし、このように第２覆い部１１１ｃを設ければ、流通、販売段階においてＨＵＤ装置１に触れる消費者からも、境界ライン５３を隠すことができるため、商品性を損なうことがない。
以上のような第１覆い部１１１ｂ及び第２覆い部１１１ｃは、上ケース１１と一体的に形成されている（つまり、ケース体１０の上壁部１１２と一体である）。なお、第１覆い部１１１ｂ及び第２覆い部１１１ｃは、上ケース１１と別体であってもよいが、構造が複雑になり、生産コストも上がってしまうため、上ケース１１と一体であったほうが好ましい。
【００３０】
上ケース１１には、図３（ａ）に示すように、上ケース１１の内面（表示部２０の略上方の面）から、第１覆い部１１１ｂの下方を貫通し、溝部１１１ａを通過し、第２覆い部１１１ｃの下方に至る穴（通し穴）１１ｓが形成されている。この穴１１ｓは、基材５１の穴５１０の開口形状と略同じ形状で、穴５１０と同じ数だけ設けられている。溝部１１１ａに、コンバイナ５０を差し込み、穴１１ｓと穴５１０を通すようにネジＳを締め付けることで、コンバイナ５０は、上ケース１１に固定される。
このようにして、コンバイナ５０は、コンバイナ保持部１１１（及びネジＳ）により保持される。
【００３１】
なお、コンバイナ保持部１１１は、以上に説明した図３（ａ）に示すものに限られない。以下にその変形例を示す。以下の変形例では、第１実施形態と同様な機能を持つ部材について、同じ符号により説明する。
【００３２】
（コンバイナ保持部の変形例）
１．変形例１
図３（ｂ）に示すように、第１覆い部１１１ｂを、溝部１１１ａよりも右側の端部（開口部１１０を形成する端部）からコンバイナ５０に向かって上方に傾斜するように形成してもよい。同様に、第２覆い部１１１ｃを、溝部１１１ａよりも左側の端部からコンバイナ５０に向かって上方に傾斜するように形成してもよい。この場合、溝部１１１ａが形成されている側の上ケース１１の上面は、第１覆い部１１１ｂ及び第２覆い部１１１ｃによる傾斜面として形成される。
この場合においても、第２覆い部１１１ｃは、ＨＵＤ装置１がダッシュボード上に設置された場合に、視認者２からは見えない側の境界ライン５３を覆い隠すものであるため、必ずしも必要ではない。
【００３３】
２．変形例２
図４（ａ）に示すように、コンバイナ保持部１１１を溝部１１１ａのみから構成してもよい。この場合、上記で説明したような上壁部１１２から上方に突出するように形成した第１覆い部１１１ｂ及び第２覆い部１１１ｃとは異なり、溝部１１１ａのみによってコンバイナ５０のハードコート膜５２が形成されていない端部を覆う覆い部が構成される。この場合、溝部１１１ａを、コンバイナ５０のハードコート膜５２が形成されていない部分を収める深さで形成すればよい。このようにしても、コンバイナ５０に生じる境界ライン５３を視認者から隠すことができる。但し、上ケース１１の下面側には、表示部２０が位置するため、ＨＵＤ装置１を、その上下方向の厚みを抑えて構成するためには、前述のように、第１覆い部１１１ｂ及び第２覆い部１１１ｃを設けることにより境界ライン５３を隠すことが好ましい。
【００３４】
３．変形例３
図４（ｂ）に示すように、上ケース１１に、コンバイナ５０が取り付けられる側（第２出射口１４よりも左側）の上壁部１１２から下方に下がるような段部１１１ｄを設け、この段部１１１ｄを、コンバイナ５０のハードコート膜５２が形成されていない端部を覆う覆い部として機能させてもよい。この場合、コンバイナ５０は、ネジＳを、上ケース１１の内側又は外側の一方から図４（ｂ）に示す穴１１ｓ及びコンバイナ５０の穴５１０に通し、他方側の図示しないナット等に螺着することで、上ケース１１に固定される。
【００３５】
（第２実施形態）
第１実施形態では、コンバイナ５０がハードコート膜５２を有する例を示したが、反射部４０がハードコート膜を有していてもよい。以下の説明では、第１実施形態と同様な機能を持つ部材について、同じ符号により説明する。
【００３６】
第２実施形態では、ＨＵＤ装置１の反射部４０が、板状の少なくとも一方の面に反射面を有するミラーの他、このミラーの一端部を残してミラー表面を覆うハードコート膜４２を備える。
この場合も、図６（ａ）に示した方法と同様に、一端部を残して、ミラーを液化させた紫外線硬化型のアクリル系樹脂等からなるハードコート剤５２０に浸漬し、引き出し、乾燥させることで（つまり、ディッピングによって）、ミラーの前記一端部以外の表面にハードコート膜４２が形成される。このように形成されたハードコート膜４２を有する反射部４０には、視認可能なハードコート膜４２の境目となる境界ライン４３が生じる（図５（ａ）〜（ｃ）では、点線で示した）。
【００３７】
完成されたＨＵＤ装置１において、このように生じる境界ライン４３を視認者２が直接視認することはほぼないが、境界ライン４３の像を表す光がコンバイナ５０の凹面５０ａで反射し、視認者２に到達することで、境界ライン４３が間接的に視認されてしまう場合がある。このように視認されてしまうと、ＨＵＤ装置１の見栄えが悪く、また、表示画像を表示させるにあたり邪魔である。
【００３８】
第２実施形態に係るＨＵＤ装置１は、この境界ライン４３を視認者２に視認させないようにした特有の中ケース１３を有する。以下、この中ケース１３につき、図５（ａ）を参照して詳細に説明する。
【００３９】
第２実施形態に係る中ケース１３は、底部１３３から上方に突出した凸部である覆い部１３４ａを有する。この覆い部１３４ａは、例えば、中ケース１３と一体的に形成されている。第２実施形態では、覆い部１３４ａと右側面１３２と両者の間に位置する底部１３３とにより溝部１３４ｂを構成し、これにより、反射部４０の少なくとも一部を支持する支持部１３４を構成している。覆い部１３４ａは、反射部４０を、溝部１３４ｂに差し込んだときの反射部４０の境界ライン４３よりも、その上端が高くなるように形成されている。つまり、覆い部１３４ａは、反射部４０のハードコート膜４２が形成されていない端部を表示部２０側から覆う。また、覆い部１３４ａは、中ケース１３に形成された溝部１３４ｂの一部として構成されている。これにより、境界ライン４３を、視認者２に視認させないように覆い隠すことができる。
【００４０】
なお、支持部１３４は、以上に説明した図５（ａ）に示すものに限られない。以下にその変形例を示す。以下の変形例では、第２実施形態と同様な機能を持つ部材について、同じ符号により説明する。
（支持部の変形例）
１．変形例１
図５（ｂ）に示すように、覆い部１３４ａを、中ケース１３の左端部側の底部１３３から反射部４０に向かって上方に傾斜するように形成してもよい。また、図示しないが、中ケース１３の左端部側の底部１３３と覆い部１３４ａの上面とが区別なく傾斜面を構成してもよい。これによっても、境界ライン４３を、視認者２に視認させないように覆い隠すことができる。
【００４１】
２．変形例２
図５（ｃ）に示すように、支持部１３４を溝部１３４ｂのみから構成してもよい。この場合、上記で説明したような底部１３３から上方に突出した凸部である覆い部１３４ａとは異なり、溝部１３４ｂのみによって反射部４０のハードコート膜４２が形成されていない端部を覆う覆い部が構成される。この場合、溝部１３４ｂを、反射部４０のハードコート膜４２が形成されていない部分を収める深さで形成すればよい。このようにしても、反射部４０に生じる境界ライン４３を視認者から隠すことができる。但し、中ケース１３の下面側には、回路基板３０が位置するため、ＨＵＤ装置１を、その上下方向の厚みを抑えて構成するためには、前述のように、覆い部１３４ａを設けることにより境界ライン４３を隠すことが好ましい。
【００４２】
以上に説明したように、ＨＵＤ装置１は、表示画像を表す表示光Ｌを出射する表示部２０と、表示部２０が出射した表示光Ｌが到達し、到達した表示光Ｌを反射させる反射部４０と、反射部４０で反射した表示光Ｌが到達する凹面５０ａを有し、到達した表示光Ｌを集光することで視認者２に凹面５０ａ側から前記表示画像を視認させるコンバイナ５０と、表示部２０と反射部４０とを内部に収納するとともにコンバイナ５０を保持するケース体１０と、を備え、コンバイナ５０は、凹面５０ａを有する板状の基材５１と、基材５１の一端部を残して基材５１の表面を覆うハードコート膜５２と、を有し、基材５１の一端部でケース体１０に保持され、ケース体１０は、基材５１の一端部を凹面５０ａ側から覆う覆い部（第１覆い部１１１ｂ等）を有する。
このＨＵＤ装置１によれば、境界ライン５３を隠すことができるため、見栄えがよく、商品性の低下を軽減できる。また、このＨＵＤ装置１によれば、基材５１に穴５１０や、その他の位置決め用の穴（図示せず）を形成する際に金型によって生じ、境界ライン５３と略同じ位置に視認される入れ子ライン（図示せず。入れ子ラインと境界ライン５３とが互いに離間して生じると見栄えが悪くなるため、通常、入れ子ラインと略同じ位置に境界ライン５３が発生するようにハードコート膜５２を形成する）も隠すことができる。
【００４３】
そして、特に、第２実施形態及びその変形例に係るＨＵＤ装置１においては、ケース体１０は、その内部に反射部４０を支持する中ケース１３の支持部１３４を有し、反射部４０は、表示部２０が出射した表示光Ｌを反射させる反射面を含むミラーと、前記ミラーの一端部を残して前記ミラーの表面を覆うハードコート膜４２と、を有し、前記ミラーの一端部で支持部１３４に支持され、支持部１３４は、前記ミラーの一端部を表示部２０側から覆う覆い部（覆い部１３４ａ等）を有する。
以上のような第２実施形態及び変形例に係るＨＵＤ装置１によれば、境界ライン４３を隠すことができるため、見栄えがよく、商品性の低下を軽減できる。
【００４４】
なお、本発明は上記第１及び第２実施形態及びそれらの変形例によって限定されるものではない。上記第１及び第２実施形態及びそれらの変形例に変更（構成要素の削除も含む）を加えることができるのはもちろんである。
【００４５】
以上の説明では、ＨＵＤ装置１を設置する乗り物の一例を車両としたが、これに限られない。ＨＵＤ装置１を船舶、航空機等のその他の乗り物の運転席付近に設置することもできる。さらに、乗り物の運転席付近に設置するものに限らず、室内に設置する卓上インテリア等に適用することも可能である。
【００４６】
また、以上では、コンバイナ５０及び／又は反射部４０に、ディッピングにより、ハードコート膜が形成される例を示したが、これに限られない。例えば、スプレーによる塗布方法でハードコート膜を形成する場合において、マスキング等の影響によりコンバイナ５０及び／又は反射部４０の一端部に視認可能な境界ラインが生じてしまった場合であっても、上記第１及び第２実施形態及びそれらの変形例に係る覆い部によって、この境界ラインを覆い隠すことも可能である。
【００４７】
また、以上では、ＨＵＤ装置１を据え置き型のものとして説明したが、ＨＵＤ装置は、例えば、車両のダッシュボードと一体的に構成されるものであってもよい。
【００４８】
また、以上の説明では、反射部４０を、１枚のミラーを含むものとしたが、これに限られない。反射部４０は、複数のミラーを含む光学系であってもよい。
【００４９】
以上の説明では、本発明の理解を容易にするために、重要でない公知の技術的事項の説明を適宜省略した。
【符号の説明】
【００５０】
１    …ＨＵＤ装置
２    …視認者
１０    …ケース体
１１    …上ケース
１１０  …開口部
１１１  …保持部
１１１ａ…溝部
１１１ｂ…第１覆い部
１１１ｃ…第２覆い部
１１１ｄ…段部
１２    …下ケース
１３    …中ケース
１３１  …左側面
１３１ａ…第１出射口
１３２  …右側面
１３３  …底部
１３４  …支持部
１３４ａ…覆い部
１３４ｂ…溝部
１４    …第２出射口
２０    …表示部
３０    …回路基板
３１    …基材
４０    …反射部
４２    …ハードコート膜
４３    …境界ライン
５０    …コンバイナ
５０ａ  …凹面
５１    …基材
５１０  …穴
５２    …ハードコート膜
５３    …境界ライン
【図１】
0005970808.tif 000002
【図２】
0005970808.tif 000003
【図３】
0005970808.tif 000004
【図４】
0005970808.tif 000005
【図５】
0005970808.tif 000006
【図６】
0005970808.tif 000007
【図７】
0005970808.tif 000008